(57)【要約】      （修正有）【課題】写真プリントの注文処理や決済処理を迅速且つ容易に実現でき、且つ、システムを安価なコストで構築できる写真プリント注文システムを提供する。【解決手段】顧客端末６からネットワークを介して入力された写真プリント注文情報に対応してユニークな注文番号を発行して返信する受付処理手段を備えた写真プリント注文サーバ１と、写真プリント注文情報をサーバ１に送信する注文情報送信手段と、サーバ１から受信された注文番号を注文対象画像情報に関連付けてメモリカードに格納する画像格納手段を備えた顧客端末６と、メモリカードから読み出した注文番号が真正であるか否かをサーバ１に確認し、真正注文であるときにサーバ１から獲得した注文者情報とメモリカードから読み出した注文対象画像情報に基づいて写真プリントの注文を受付処理する受付処理手段５を備えた注文受付端末とからなる。【選択図】図１
2005202530.tif 000002
【特許請求の範囲】
【請求項１】
顧客端末からネットワークを介して入力された注文者情報を含む写真プリント注文情報に対応してユニークな注文番号を発行して前記顧客端末に返信する受付処理手段を備えた写真プリント注文サーバと、
前記写真プリント注文情報を生成する注文情報生成手段と、生成された写真プリント注文情報を前記写真プリント注文サーバに送信する注文情報送信手段と、前記写真プリント注文サーバからネットワークを介して受信された注文番号を注文対象画像情報に関連付けてメモリカードに格納する画像格納手段を備えた顧客端末と、
前記メモリカードから読み出した注文番号が真正であるか否かを前記写真プリント注文サーバに確認する確認処理手段と、真正注文であるときに注文対象画像情報に基づいて写真プリントの注文を受付処理する受付処理手段を備えた注文受付端末とからなる写真プリント注文システム。
【請求項２】
前記写真プリント注文サーバは、発行した注文番号に有効期限情報を付加して管理し、前記注文受付端末からの受付処理の完了通知、または、付加された有効期限の経過に基づいて前記注文番号を無効とする期限管理手段を備えてある請求項１記載の写真プリント注文システム。
【請求項３】
前記注文者情報に決済情報を含み、前記写真プリント注文サーバは、前記注文受付端末からの受付処理の完了通知を受信して決済処理する決済処理手段を備えてある請求項１または２記載の写真プリント注文システム。
【請求項４】
前記顧客端末が、被写体を撮影する撮像手段が搭載された携帯電話機で構成される請求項１から３の何れかに記載の写真プリント注文システム。
【請求項５】
前記顧客端末は、入力された注文者情報を記憶する注文者情報記憶手段を備え、前記注文情報生成手段は、前記注文者情報記憶手段により記憶された注文者情報を参照してプリント注文情報を生成する請求項１から４の何れかに記載の写真プリント注文システム。
【請求項６】
画像情報を格納するメモリカードを装着可能なメモリカードインターフェースと、注文者情報を入力する注文者情報入力手段と、入力された注文者情報を記憶する注文者情報記憶手段と、前記注文者情報記憶手段に記憶された注文者情報と注文対象画像情報を関連付けて前記メモリカードに格納する注文画像格納手段を備えてなる携帯端末。
【請求項７】
携帯電話機に、被写体を撮影する撮像手段と、前記撮像手段による撮影画像を記憶する画像記憶手段とを備えてなる請求項６記載の携帯端末。
【発明の詳細な説明】
【技術分野】
【０００１】
本発明は、写真プリント注文システム及び携帯通信装置に関し、詳述すると、顧客端末からアップロードされた顧客情報を管理するデータベースを備え、顧客端末からのネットワークを介したアクセスに対応して、写真プリントの注文処理を行なう写真プリント注文サーバを備えた写真プリント注文システム及び携帯端末に関する。
【背景技術】
【０００２】
自宅やオフィスに居ながらにして写真プリントの注文ができるネットワークフォトサービスとして、顧客が撮影した写真画像情報を記憶蓄積可能な画像サーバを構築し、顧客が画像サーバにネットワークを介してアクセスすることにより、写真の焼増し注文や、写真画像情報のダウンロードなどの各種サービスを提供するネットワークフォトサービスが提案されている。
【０００３】
上述の画像サーバはＷｅｂサーバを介して顧客の端末（コンピュータなど）からインタネットを介してアクセス可能に構成され、デジタルスチルカメラなどにより撮影された顧客の画像情報がインタネットを介して蓄積可能に、且つ、画像サーバに蓄積された顧客の画像情報が閲覧可能に構成され、以って顧客が自身の画像情報を閲覧して所望の画像情報に対する写真プリントの焼増しの注文が可能な写真プリント注文システムが構築されている。
【特許文献１】特開２００２−１７５２４２号公報
【発明の開示】
【発明が解決しようとする課題】
【０００４】
近年、高性能なデジタルスチルカメラが搭載された携帯端末としての携帯電話機が普及しており、携帯電話機のカメラで撮影された画像情報をそのままＷｅｂサーバを介して画像サーバにアップロードするとともに、写真プリントの注文処理も携帯電話機を介して行なうことが可能になりつつある。
【０００５】
しかし、一般に携帯電話機の場合には液晶表示画面の表示領域は狭く、パーソナルコンピュータを用いての写真プリントの注文処理のようにブラウザソフトや専用の注文ソフトを起動して複数の画像情報を閲覧表示させ、所望の画像を選択してプリント枚数やプリントサイズなどを指定入力したり、決済方法や納品方法の選択などの一連の注文処理を行なうような構成は困難であり、また、通信料金が比較的高額であることから大容量の画像情報をインタネットを介して頻繁に送受信するのは経済性が悪いという問題もあった。
【０００６】
そのため、携帯電話機に搭載されたデジタルカメラで撮影された画像情報を格納したメモリカードを写真ラボに持ち込んで写真プリントを注文したり、その店頭に設置された注文受付端末を介して写真プリントを注文する機会が益々増加している。
【０００７】
しかし、写真プリントを注文する際には、名前、住所、電話番号などの注文者情報を注文受付端末に入力し、または店員に告げたり用紙に記入することが求められるが、注文の度に何度も同じデータを入力することは利用者にとって極めて煩雑且つ不便な作業であり、店員の負担も大きく非効率であるという問題があり、さらには、注文者が他人になりすまして偽の注文をする虞もあった。
【０００８】
また、写真プリントの注文時、または出来上がったプリントの引渡し時に必要とされる代金の支払い作業も顧客、店員双方にとって重要な作業ではあるが煩雑であるという問題点もあった。
【０００９】
一方、顧客の画像情報を蓄積する画像サーバにとっても、蓄積する画像情報の容量の増加に対応しなければならず、ハードウェアコストやメンテナンスコストなどの管理コストが嵩むという問題があった。
【００１０】
本発明は、上述の従来欠点に鑑み、写真プリントの注文処理や決済処理を迅速且つ容易に実現でき、且つ、システムを安価なコストで構築できる写真プリント注文システムを提供する点にある。
【課題を解決するための手段】
【００１１】
上述の目的を達成するため、本発明による写真プリント注文システムの第一の特徴構成は、特許請求の範囲の書類の請求項１に記載した通り、顧客端末からネットワークを介して入力された注文者情報を含む写真プリント注文情報に対応してユニークな注文番号を発行して前記顧客端末に返信する受付処理手段を備えた写真プリント注文サーバと、前記写真プリント注文情報を生成する注文情報生成手段と、生成された写真プリント注文情報を前記写真プリント注文サーバに送信する注文情報送信手段と、前記写真プリント注文サーバからネットワークを介して受信された注文番号を注文対象画像情報に関連付けてメモリカードに格納する画像格納手段を備えた顧客端末と、前記メモリカードから読み出した注文番号が真正であるか否かを前記写真プリント注文サーバに確認する確認処理手段と、真正注文であるときに注文対象画像情報に基づいて写真プリントの注文を受付処理する受付処理手段を備えた注文受付端末とからなる点にある。
【００１２】
上述の構成によれば、写真プリント注文サーバに予め顧客情報を登録することが可能となり、顧客からアクセスされたサーバが発行した注文番号に基づいて注文受付端末に注文入力することになるので、本人の確認が容易に行なえるのであり、その際にプリント対象となる画像情報はサーバを介さずに顧客の所有するメモリカードを介して注文受付端末に入力されるので、サーバ側に大容量のストレージデバイスを設ける必要が無く、システムのハードウェアコストを大きく低減できるのである。また、顧客の所有する携帯端末側では、大容量の画像データの送受信をする必要が無く、通信コストを大きく低減でき、しかも、注文受付端末に入力する必要のある氏名などの注文者情報がメモリカードを介して注文受付端末に入力できるので、操作性、利便性も大幅に向上するのである。
【００１３】
同第二の特徴構成は、同請求項２に記載した通り、上述の第一特徴構成に加えて、前記写真プリント注文サーバは、発行した注文番号に有効期限情報を付加して管理し、前記注文受付端末からの受付処理の完了通知、または、付加された有効期限の経過に基づいて前記注文番号を無効とする期限管理手段を備えてある点にある。
【００１４】
サーバ側は発行された注文番号をいつまでも保持するとメモリ容量が嵩むばかりか、管理負担のも増加する。そこで、期限管理手段により注文番号に有効期限を付加することにより、期限ないに注文処理がなされないときには注文意思が無いものとして消去処理することができる。
【００１５】
同第三の特徴構成は、同請求項３に記載した通り、上述の第一または第二特徴構成に加えて、前記注文者情報に決済情報を含み、前記写真プリント注文サーバは、前記注文受付端末からの受付処理の完了通知を受信して決済処理する決済処理手段を備えてある点にある。
【００１６】
注文者情報に決済情報、例えばクレジットカード番号などを登録することにより電子決済が可能となり、店頭でのプリント注文時やプリント受け取り時の対価の支払いという顧客にとっても店員にとっても煩雑な作業が不要になるのである。
【００１７】
同第四の特徴構成は、同請求項４に記載した通り、上述の第一から第三の何れかの特徴構成に加えて、前記顧客端末が、被写体を撮影する撮像手段が搭載された携帯電話機で構成される点にある。
【００１８】
顧客端末として撮像手段が搭載された携帯電話機が使用される場合には、本発明による写真プリント注文システムの利便性が最もよく実現でき、街角で撮影した画像をラボ店などの店頭に設置された注文受付端末を介して即座にプリント注文できるのである。この場合には、上述したように画像の遣り取りをネットワーク上で行なう必要がないので通信コストを大きく低減できるのである。
【００１９】
同第五の特徴構成は、同請求項５に記載した通り、上述の第一から第四の何れかの特徴構成に加えて、前記顧客端末は、入力された注文者情報を記憶する注文者情報記憶手段を備え、前記注文情報生成手段は、前記注文者情報記憶手段により記憶された注文者情報を参照してプリント注文情報を生成する点にある。
【００２０】
入力された注文者情報を記憶する注文者情報記憶手段を設けることにより、注文者情報を一度入力すれば、次回からは記憶されたデータを使用できるので利便性が増すのである。
【００２１】
本発明による携帯端末の特徴構成は、同請求項６に記載した通り、画像情報を格納するメモリカードを装着可能なメモリカードインターフェースと、注文者情報を入力する注文者情報入力手段と、入力された注文者情報を記憶する注文者情報記憶手段と、前記注文者情報記憶手段に記憶された注文者情報と注文対象画像情報を関連付けて前記メモリカードに格納する注文画像格納手段を備えてなる点にある。
上述したようなネットワークを介してサーバと遣り取りするものではなく、携帯端末をスタンドアロンで使用する際に、携帯端末に注文者情報記憶手段を設けることにより、一度入力した注文者情報と注文対照画像とを関連付けてメモリカードに格納できるので、プリント注文の際に、注文受付端末にその度に注文者情報を入力するという煩雑な操作が不要になり、例えば、注文受付端末にメモリカードを装着するだけで注文者やプリント対象画像といった主要な情報の入力がなされるのである。
【００２２】
同第二の特徴構成は、同請求項７に記載した通り、上述の第一特徴構成に加えて、携帯電話機に、被写体を撮影する撮像手段と、前記撮像手段による撮影画像を記憶する画像記憶手段とを備えてなる点にある。
【００２３】
特に携帯端末がカメラ機能を備えた携帯電話機である場合には、撮影後直ちに注文受付端末への入力が可能になり、その利便性は著しく向上するのである。
【発明の効果】
【００２４】
以上説明した通り、本発明によれば、写真プリントの注文処理や決済処理を迅速且つ容易に実現でき、且つ、システムを安価なコストで構築できる写真プリント注文システム及び携帯端末を提供することができるようになった。
【発明を実施するための最良の形態】
【００２５】
以下に本発明による写真プリント注文システムの実施の形態を説明する。図１に示すように、写真プリント注文システムは、写真プリント注文サーバとしてのＷｅｂサーバ１に、写真ラボ店に設置された注文受付端末５と、顧客の所有する端末としての携帯電話機６やパーソナルコンピュータなどで構成され、ネットワークの一例であるインタネット１０を介して注文受付端末５や携帯電話機６から写真プリント注文サーバに接続可能に構成されている。
【００２６】
前記Ｗｅｂサーバ１はデータベースサーバ２及び決済サーバ４に接続され、顧客の携帯端末６から入力された注文者情報を管理する顧客データベース３を備え、顧客の携帯電話機６からのインタネット１０を介した写真プリント注文情報に対応して、前記データベース３に格納された注文者情報にリンクされたユニークな注文番号を発行して前記携帯電話機６に返信する受付処理手段を備えて構成されている。
【００２７】
前記携帯電話機６にはデジタルカメラ機能が搭載されており、ｉモードなどの携帯ネットワークを介してインタネット１０に接続可能に構成され、予め前記Ｗｅｂサーバ１を介して前記データベース３に顧客識別情報が登録されている場合に、街の写真ラボ店でプリント注文をするための注文予備登録装置としても使用可能に構成されている。詳述すると、写真プリント注文情報を生成する注文情報生成手段と、生成された写真プリント注文情報をＷｅｂサーバ１に送信する注文情報送信手段と、Ｗｅｂサーバ１から受信された注文番号を注文対象画像情報に関連付けてメモリカードに格納する画像格納手段を備えて構成され、携帯電話機６からＷｅｂサーバ１に顧客がラボ店に赴く前の段階でアクセスして写真プリントの注文予備登録をすると、サーバから注文番号が発行されて送信され、さらに携帯電話機６に着脱可能なメモリカードに格納されている画像情報と関連付けてサーバから受信した注文番号が格納されるように構成されている。この構成によって、写真ラボ店の注文受付端末に顧客がメモリカードを装填した際、本来ならば入力する注文者情報を操作入力する必要が無くなるのである。
【００２８】
前記注文受付端末５は、図２に示すように、プリント注文のための入力端末で、モニタとキーボードとメモリカード用のドライブユニット５Ａを備えて構成され、顧客のメモリカードから読み出した注文番号が真正であるか否かをネットワークを介してＷｅｂサーバ１に確認する確認処理手段と、真正注文であるときに注文対象画像情報に基づいて写真プリントの注文を受付処理する受付処理手段を備えたものである。予め顧客がＷｅｂサーバ１にアクセスして上述の注文番号を携帯電話機６で受信した後に、携帯電話機６からメモリカードを取り外して注文受付端末５に装着することにより、入力された注文番号の真偽がＷｅｂサーバ１により判定され、真の注文情報である場合には、メモリカードの画像情報を読み出してそのモニタ画面に表示するように構成されている。ここで、携帯電話機６に搭載されるメモリカードについては特に限定するものではなく、コンパクトフラッシュ（登録商標）やＳＤメモリカード、メモリスティックなど適宜使用できるものである。
【００２９】
図３に示すように、顧客は、モニタ画面を目視しながら表示された画像に対するプリント枚数などの注文情報をキーボードなどを用いて入力することにより受注伝票が発行され、プリント注文処理が完結するように構成される。
【００３０】
以下、写真プリント注文システムを用いたプリント注文処理の具体的手順について説明する。本システムを最初に利用する場合、顧客情報が登録する必要があり、図５に示すように、顧客は先ず、自宅やオフィスのパーソナルコンピュータ、または携帯電話機６などを介して当該サービスを提供するＷｅｂサーバ１にアクセスし（Ｓ１）、ブラウザ上に会員登録画面を表示させる（Ｓ２）。画面の所定の欄に顧客の郵便番号、住所、氏名、電話番号、メールアドレス、携帯メールアドレスなどの個人の特定情報、及び、決済情報としてのクレジット番号などを入力し（Ｓ３）、入力に誤りがないことを確認した後に（Ｓ４）、ブラウザ上の送信ボタンをクリックすることにより顧客の登録データがＷｅｂサーバ１に送信される（Ｓ５）。上述のステップＳ１からＳ５の処理を実行するソフトウェア及びハードウェアが、写真プリント注文情報を生成する注文情報生成手段の一部を構成する。
【００３１】
Ｗｅｂサーバ１は、送信された顧客情報をＡＰＩを介してデータベースサーバ２に送ることにより、データベース３に顧客情報が登録される（Ｓ６）。具体的には、図４に示す顧客情報レコードの各フィールドに送信された情報が格納される。データベースサーバ２は格納された顧客情報に固有の識別番号としての顧客ＩＤとアクセス時の本人同定用のパスワードを発行し（Ｓ７）、登録されたメールアドレスにＩＤ及びパスワードを送信する（Ｓ８）。ここで、パスワードは上述のステップＳ３で顧客に設定させるものであってもよい。
【００３２】
顧客が撮影した写真画像情報をプリント注文する場合、携帯電話機６からＷｅｂサーバ１にアクセスし（Ｓ１０）、ブラウザ上に注文画面を表示させる（Ｓ１１）。要求される顧客ＩＤ及びパスワードを入力してサイトの内部に進み、「注文予備登録」ボタンをクリックすると（Ｓ１２）、Ｗｅｂサーバ１は受信した顧客ＩＤをＡＰＩを介してデータベースサーバ２に送信する。データベースサーバ２は、図４に示すように、顧客ＩＤとリンクするプリント注文番号と有効期限情報を発行して決済情報レコードの決済状況データフィールドに仮発注データ（仮発注と最終発注の何れかのデータが書き込まれ、最終発注の場合には決済処理が起動される）を登録した後に、Ｗｅｂサーバ１に対してプリント注文番号を返す。Ｗｅｂサーバ１は、データベースサーバ２から送信されたプリント注文番号を顧客端末に送信する（Ｓ１３，Ｓ１４）。携帯電話機６は、装着されているメモリカードに送信された注文番号をプリント対象画像情報と関連付けて格納して処理を終了する（Ｓ１５）。
【００３３】
即ち、上述のステップＳ１０からＳ１２の処理を実行するソフトウェア及びハードウェアにより、写真プリント注文情報を前記写真プリント注文サーバに送信する注文情報送信手段が構成され、ステップＳ１５の処理を実行するソフトウェア及びハードウェアにより、写真プリント注文サーバから受信された注文番号を注文対象画像情報に関連付けてメモリカードに格納する画像格納手段が構成される。また、上述のステップＳ１３，Ｓ１４の処理を実行するソフトウェア及びハードウェアにより、顧客端末からネットワークを介して入力された注文者情報を含む写真プリント注文情報に対応してユニークな注文番号を発行して顧客端末に返信する受付処理手段が構成される。
【００３４】
前記Ｗｅｂサーバ１に管理されるデータベースサーバ２（広義にはＷｅｂサーバ１）には、発行した注文番号に有効期限情報を付加して管理し、前記注文受付端末５からの受付処理の完了通知、または、付加された有効期限の経過に基づいて前記注文番号を無効とする期限管理手段が設けられ、有効期限が経過すると発行された注文番号が消去される。ここに、有効期限は適宜設定でき、１ヶ月であっても一週間であってもよく、それ以上の長期にわたる保管は有料制としてもよい。例えば、有効期限経過する所定日数の前に有効期限が迫っている旨の通知を登録されたメールアドレスに送り、顧客の注意を促すように構成でき、そのメールを受信した顧客がＷｅｂサーバにアクセスして保管期限の延長登録をすることを可能にしてもよい。この場合にも、初期に登録されたクレジット番号による自動決済が可能である。
【００３５】
顧客が携帯電話機６からメモリカードを取り外し（Ｓ２０）、写真ラボ店の店頭に設置されている注文受付端末５にメモリカードを挿入すると（Ｓ２１）、注文受付端末５はメモリカードから注文番号を読み込み（Ｓ２２）、Ｗｅｂサーバ１に対して当該注文番号を送信して当該注文番号の真偽を確認する（Ｓ２３，Ｓ２４，Ｓ２５）。照合の結果、偽情報であるか、期限切れであった場合にはその旨のメッセージをモニタ画面に表示して処理を終了する（Ｓ３１）。真の情報であり且つ有効期限内であれば、Ｗｅｂサーバ１からデータベース３に格納されている注文番号とリンクする顧客情報が送信され、さらに注文受付端末５はメモリカードから画像情報を読み出して、図３に示すように、モニタ画面に画像を表示する（Ｓ２６）。
【００３６】
顧客が、表示された画像を確認して最終的にプリント注文を望む画像に対してプリント枚数などの注文データの入力を終了し（注文データを入力しない画像についてはプリントされない）、「確認」ボタンをクリックすると、ダウンロードされた顧客情報と注文したプリントの金額情報及び「注文」ボタンが表示され、さらに「注文」ボタンをクリックすることにより注文入力が終了する（Ｓ２７，Ｓ２８）。
【００３７】
注文受付端末５はプリント注文番号と共に、受注済み情報としてプリントサイズ、枚数及び金額情報をＷｅｂサーバ１に送信し（Ｓ２９）、付属のプリンタから引き換え伝票を顧客に発行した後に、オンラインで接続されている写真プリント装置に画像データを送信してプリント処理を開始する（Ｓ３０）。
【００３８】
データベースサーバ２は、Ｗｅｂサーバ１から送られた受注済み情報を受信して、決済情報レコードの決済状況データフィールドを最終発注に書き替える。決済サーバ４は、決済状況データフィールドのデータ書き替えを検出してクレジット番号に基づいて決済処理を起動する。このようにして、顧客のメモリカードを介して注文端末５への注文入力が迅速に行えるようになり、顧客が毎回注文端末に氏名などの注文者情報を入力する手間が省けるとともに、Ｗｅｂサーバ１と画像情報の遣り取りを行なう必要が無いので画像携帯電話機の通信コストも低減できるようになるのである。
【００３９】
上述したＷｅｂサーバ１と顧客の携帯電話機６、Ｗｅｂサーバ１と注文端末のセッション管理は、例えばＷｅｂサーバ１にＪａｖａ  Ｓｅｒｖｌｅｔを、携帯端末にＪａｖａ  ＡｐｐｌｅｔやＣｏｏｋｉｅを備えることにより実現できるものであり、同様の機能を実現できる公知の管理プログラムを用いて実現してもよい。
【００４０】
また、決済情報等の扱いについては認証技術など公知のセキュリティ技術を用いてシステムが構築されることは言うまでもないことである。
【００４１】
以下に、本発明の別実施形態を説明する。上述の実施形態では、注文予備登録処理を行なう顧客端末として携帯電話機を用いたものを説明したが、顧客端末は、携帯電話機に限るものではなく、画像情報を格納するメモリカードを装着可能なメモリカードインターフェースを備えたパーソナルコンピュータや他のモバイル機器を用いることが可能である。
【００４２】
上述の実施形態では、注文受付端末５に入力する注文者情報としての顧客情報が、データベース３に事前登録されＷｅｂサーバ１を介して入力されるものを説明したが、メモリカードに格納される画像情報にプリント注文番号と顧客情報を関連付けて格納することにより、注文受付端末がメモリカードから顧客情報を読み出すことが可能に構成するものであってもよい。この場合にはＷｅｂサーバ１に顧客情報を事前登録することなく、顧客端末に、入力された注文者情報を記憶する注文者情報記憶手段を備え、前記注文情報生成手段が、前記注文者情報記憶手段により記憶された注文者情報を参照してプリント注文情報を生成するように構成し、画像格納手段を、プリント注文の予備登録時に発行されたプリント注文番号と注文者情報記憶手に格納されている注文者情報とを注文対象画像情報に関連付けてメモリカードに格納するように構成すればよい。この場合にも注文受付端末５に注文の度に注文者情報を入力する繰り返しの手間が省けるという同様の効果が得られる。
【００４３】
上述の実施形態では、注文端末に対する注文入力を顧客が直接行なうものを説明したが、注文受付端末としての機能を写真プリンタのコンソールに構築することも可能である。この場合には顧客のメモリカードからの入力を店のオペレータが行なうことになる。
【００４４】
上述した実施形態では、前記注文受付端末５に、顧客のメモリカードから読み出した注文番号が真正であるか否かをネットワークを介してＷｅｂサーバ１に確認する確認処理手段を備えたものを説明したが、Ｗｅｂサーバ１が当該注文受付端末５が設置された写真ラボ店に構築されている場合には、確認処理手段がインタネットなどのオープンネットワークを介してＷｅｂサーバ１に確認するように構成するもの以外に、ローカルネットワークを介してローカル処理により確認するように構成されるものであってもよい。
【００４５】
上述した実施形態では、単一の写真プリント注文サーバを備えたシステムを説明したが、複数の写真プリント注文サーバが大規模な写真ラボ店などに分散して設置されているシステムであってもよい。
【００４６】
上述の実施形態では、システム上で決済機能を備えたものを説明したが、システム上の決済機能を省き、決済は個別の取引で行なうようにしてもよい。つまり注文端末で注文入力したときに最終の金額が判明するのでその際に決済、つまり注文端末に金銭投入口を設けて決済したり、レジでプリント受け取り時に金銭を支払うように構成するものであってもよい。
【００４７】
上述した実施形態では、ネットワークを介した写真プリント注文システムについて説明したが、注文受付端末に注文の度に注文者情報を入力するという煩雑さを解消すると言う点においては、顧客の携帯端末を、画像情報を格納するメモリカードを装着可能なメモリカードインターフェースと、注文者情報を入力する注文者情報入力手段と、入力された注文者情報を記憶する注文者情報記憶手段と、前記注文者情報記憶手段に記憶された注文者情報と注文対象画像情報を関連付けて前記メモリカードに格納する注文画像格納手段を備えて構成するものであってもよく、注文受付端末にメモリカードを挿入することにより、注文者情報と画像情報がダウンロード可能となる。この場合に、携帯端末として被写体を撮影する撮像手段と、前記撮像手段による撮影画像を記憶する画像記憶手段を備えた携帯電話機で構成することによりより一層利便性が増す。
【図面の簡単な説明】
【００４８】
【図１】写真プリント注文システムの説明図
【図２】注文受付端末の説明図
【図３】注文受付端末の説明図
【図４】データベースに格納される顧客情報の説明図
【図５】フローチャート
【図６】フローチャート
【図７】フローチャート
【符号の説明】
【００４９】
１：写真プリント注文サーバ（Ｗｅｂサーバ）
２：データベースサーバ
３：データベース
４：決済サーバ
５：注文受付端末（写真プリント注文受付端末）
６：携帯電話機
１０：ネットワーク（インタネット）
【図１】
2005202530.tif 000003
【図２】
2005202530.tif 000004
【図３】
2005202530.tif 000005
【図４】
2005202530.tif 000006
【図５】
2005202530.tif 000007
【図６】
2005202530.tif 000008
【図７】
2005202530.tif 000009